(57)【要約】【課題】ＩＣカ−ドおよびそのＩＣカ−ドを利用した飲酒運転防止システムを提供する。【解決手段】ＩＣカード１０は、インターフェース部１１および記憶部１２を備える。記憶部１２は、運転者の飲酒を特定する飲酒有りを表す情報（飲酒特定情報）を記憶する飲酒状態情報記憶部１２ｆを有する。飲酒有りを表す情報は、飲酒店側カード処理装置４０によりＩＣカード１０の飲酒状態情報記憶部１２ｆに書き込まれる。車両用カード処理装置２０は、飲酒状態情報記憶部１２ｆに飲酒有りを表す情報が書き込まれているとき、エンジン始動制御装置３２を制御して車両のエンジン始動を禁止する。【選択図】図２
2008203915.tif 000002
【特許請求の範囲】
【請求項１】
運転者の運転免許証に関する情報を記憶する免許証情報記憶部と、飲酒状態情報を記憶する飲酒状態情報記憶部とを備えてなるＩＣカード。
【請求項２】
前記飲酒状態情報は、店内で飲酒のできる飲酒店に設置された飲酒店側カード処理装置により前記飲酒状態情報記憶部に書き込まれた運転者の飲酒を特定する飲酒特定情報である請求項１に記載のＩＣカード。
【請求項３】
前記飲酒状態情報は、酒類販売店に設置された販売店側カード処理装置により前記飲酒状態情報記憶部に書き込まれた運転者の酒類購入を特定する酒類購入特定情報である請求項１に記載のＩＣカード。
【請求項４】
車両に搭載され、前記ＩＣカードの免許証情報記憶部に記憶された運転者の運転免許証に関する情報を読み取ることを条件として、前記車両のエンジンを始動させる制御手段を有してなる車両用カード処理装置を備え、
前記制御手段は、前記ＩＣカードの飲酒状態情報記憶部に前記飲酒特定情報が書き込まれているとき、前記車両のエンジン始動を禁止する始動禁止部を備えている請求項２に記載のＩＣカードを利用した飲酒運転防止システム。
【請求項５】
駐車場に設置され、前記ＩＣカードの免許証情報記憶部に記憶された運転者の運転免許証に関する情報を読み取ることを条件として、前記車両の前記駐車場への駐車を許可する駐車制御装置と連動してなる駐車場側カード処理装置を備えている請求項４に記載の飲酒運転防止システム。
【請求項６】
前記駐車場側カード処理装置は、前記駐車制御装置を駆動する駆動制御手段を備え、前記駆動制御手段は、前記ＩＣカードの飲酒状態情報記憶部に前記飲酒特定情報が書き込まれているとき、前記車両の前記駐車場外への退出を禁止する退出禁止部を備えている請求項５に記載の飲酒運転防止システム。
【請求項７】
前記ＩＣカードの免許証情報記憶部に記憶された運転者の運転免許証に関する情報および飲酒状態情報記憶部に記憶された飲酒特定情報は、前記ＩＣカードに記憶された個人を識別するためのＩＤと関連付けられてネットワークを通じて情報管理センターの管理サーバに記憶されるように設定されている請求項４〜６のうちの何れか１項に記載の飲酒運転防止システム。
【発明の詳細な説明】
【技術分野】
【０００１】
本発明は、ＩＣカードおよびそのＩＣカードを利用した飲酒運転防止システムに関する。
【背景技術】
【０００２】
この種のＩＣカードとして、例えば下記特許文献１に記載されているように、ＩＣカードに、ＥＴＣシステムカードやクレジットカードと同等の機能を持たせ、一つのＩＣカードのみを用いて、有料道路走行に際しての料金やサービスエリアでの料金の支払いを可能とするものが知られている。一方、飲酒運転防止システムとして、例えば下記特許文献２に記載されているように、車両に設置された心拍数測定装置、血液中アルコール濃度測定装置および呼気中アルコール濃度測定装置により、それぞれ運転者の心拍、血液中アルコール濃度および呼気中アルコール濃度を測定し、少なくとも一つの測定結果により運転者に異常があるものと判定した場合には、車両を減速制御し、または車両のエンジンを停止制御するようにしたものが知られている。
【特許文献１】特開２００３−１６２７４４号公報
【特許文献２】特開平７−９９２４号公報
【発明の開示】
【発明が解決しようとする課題】
【０００３】
しかしながら、上記特許文献２に記載された飲酒運転防止システムでは、運転者の異常を各測定装置の測定結果に基づいて判定するようにしているので、各測定装置の検出精度によっては期待する測定結果が得られないおそれがあり、飲酒した運転者による車両の運転が許容されてしまう事態が生じ得る。このため、飲酒運転による事故を未然に防止すべく飲酒運転をより効果的に防止するための新たな飲酒運転防止システムが望まれている。
【０００４】
本発明は、上記問題に対処するためになされたものであり、その目的は、今後更に需要増大の見込まれるＩＣカ−ドを有効に使用して、そのＩＣカ−ドを利用した飲酒運転防止システムを提供することにある。
【０００５】
上記目的を達成するため、本発明によるＩＣカードは、運転者の運転免許に関する情報を記憶する免許証情報記憶部と、飲酒状態情報を記憶する飲酒状態情報記憶部とを備えてなることを特徴とする。
【０００６】
このＩＣカードによれば、免許証情報記憶部に記憶された運転者の運転免許に関する情報を利用することで、車両の所有者以外はその車両を運転できないようにすることができる。また、飲酒状態情報記憶部に記憶された飲酒状態情報を利用して、飲酒運転防止システムを構成することが可能である。
【０００７】
この場合、前記飲酒状態情報は、例えば、店内で飲酒のできる飲酒店に設置された飲酒店側カード処理装置により前記飲酒状態情報記憶部に書き込まれた運転者の飲酒を特定する飲酒特定情報であるとよい。これによれば、飲酒した運転者による車両の運転を未然に防止することが可能である。
【０００８】
また、前記飲酒状態情報は、例えば、酒類販売店に設置された販売店側カード処理装置により前記飲酒状態情報記憶部に書き込まれた運転者の酒類購入を特定する酒類購入特定情報であるとよい。これによれば、飲酒状態情報記憶部に書き込まれた酒類購入特定情報を履歴として参照することで、運転者による飲酒運転を抑止する対応策を予め講じることが可能である。
【０００９】
また、上記目的を達成するため、本発明によるＩＣカードを利用した飲酒運転防止システムは、車両に搭載され、前記ＩＣカードの免許証情報記憶部に記憶された運転者の運転免許証に関する情報を読み取ることを条件として、前記車両のエンジンを始動させる制御手段を有してなる車両用カード処理装置を備え、前記制御手段は、前記ＩＣカードの飲酒状態情報記憶部に前記飲酒特定情報が書き込まれているとき、前記車両のエンジン始動を禁止する始動禁止部を備えていることを特徴とする。
【００１０】
この飲酒運転防止システムによれば、運転者が飲酒状態にあるときは車両のエンジンが始動しなくなるので、飲酒した運転者による車両の運転を確実に防止することができる。
【００１１】
また、本発明の実施に際して、前記飲酒運転防止システムは、さらに駐車場に設置され、前記ＩＣカードの免許証情報記憶部に記憶された運転者の運転免許証に関する情報を読み取ることを条件として、前記車両の前記駐車場への駐車を許可する駐車制御装置と連動してなる駐車場側カード処理装置を備えていることも可能である。これによれば、車両の所有者以外の、例えば車両の不正取得者による駐車場への駐車を阻止することができる。
【００１２】
この場合、前記駐車場側カード処理装置は、前記駐車制御装置を駆動する駆動制御手段を備え、前記駆動制御手段は、前記ＩＣカードの飲酒状態情報記憶部に前記飲酒特定情報が書き込まれているとき、前記車両の前記駐車場外への退出を禁止する退出禁止部を備えているとよい。
【００１３】
これによれば、運転者が飲酒状態にあるときは車両を駐車場外へ退出させることができなくなるので、車両用カード処理装置によるエンジンの始動禁止制御と相俟って、飲酒した運転者による車両の運転をより一層確実に防止することができる。
【００１４】
また、本発明の実施に際して、前記ＩＣカードの免許証情報記憶部に記憶された運転者の運転免許証に関する情報および飲酒状態情報記憶部に記憶された飲酒特定情報は、前記ＩＣカードに記憶された個人を識別するためのＩＤと関連付けられてネットワークを通じて情報管理センターの管理サーバに記憶されるように設定されていることも可能である。
【００１５】
この場合には、運転者の運転免許証情報および飲酒特定情報が情報管理センターの管理サーバに記憶される。このため、ＩＣカードは、少なくともＩＤを継続して記憶できる構成であれば、運転者の運転免許証に関する情報や飲酒特定情報を一時的に記憶する構成とすればよいので、ＩＣカード自体を安価に構成することが可能である。
【発明を実施するための最良の形態】
【００１６】
ａ．第１実施形態
以下、本発明の第１実施形態について図面を用いて説明する。図１は同第１実施形態に係る飲酒運転防止システムで使用されるＩＣカード１０を示す概略図である。
【００１７】
ＩＣカード１０は、インターフェース部（Ｉ／Ｆ部）１１、各種情報を記憶した記憶部１２などを主要構成部品として備えていて、接点１３を介して接続された後述する車両用カード処理装置２０または飲酒店側カード処理装置４０により記憶部１２の内容を読み取り、または書き込み可能とされている。なお、ＩＣカード１０としては、上記のような接触型のものに限らず、例えば、電磁界を利用して記憶部１２の内容を読み取り、または書き込み可能な非接触型のものを用いてもよい。また、ＣＰＵを含むマイクロプロセッサを備えたＩＣカードを用いてもよい。
【００１８】
記憶部１２は、個人を識別するためのＩＤを記憶するＩＤ記憶部１２ａ、運転者の免許証に関する免許証情報を記憶する免許証情報記憶部１２ｂ、クレジットカード情報を記憶するクレジットカード情報記憶部１２ｃ、ＥＴＣカード情報を記憶するＥＴＣカード情報記憶部１２ｄ、暗証番号情報を記憶する暗証番号情報記憶部１２ｅ、飲酒状態情報を記憶する飲酒状態情報記憶部１２ｆなどを含んで構成されている。ここで、飲酒状態情報記憶部１２ｆに記憶される飲酒状態情報とは、運転者の飲酒を特定する飲酒有りを表す情報を意味する。
【００１９】
ＩＣカード１０は、車両に搭載された車両用カード処理装置２０と、店内で飲酒のできる飲食店に設置された飲酒店側カード処理装置４０とを備えた飲酒運転防止システムに利用される。この第１実施形態の飲酒運転防止システムでは、車両の始動時にＩＣカード１０を車両用カード処理装置２０に挿入すること、および飲食店での飲食後にはＩＣカード１０を飲食店側に提示して飲食店側が飲酒店側カード処理装置４０により所定の書込み処理を行うことが同システムを成り立たせる前提となっている。
【００２０】
ＩＣカード１０は、車両用カード処理装置２０のカードＩ／Ｆ部（カードスロット）２１に挿入されるようになっている。車両用カード処理装置２０は、図２に示すように、ＣＰＵおよびインターフェース部（Ｉ／Ｆ部）を含むマイクロプロセッサ２２を主要構成部品として備えるとともに、カードＩ／Ｆ部２１に加えて、各種情報登録部２３および各種情報記憶部２４を備えている。各種情報記憶部２４には、図５のエンジン始動制御プログラムが格納されていて、マイクロプロセッサ２２は、ＩＣカード１０のカードＩ／Ｆ部２１への挿入により図５のエンジン始動制御プログラムを実行するようになっている。また、マイクロプロセッサ２２には、エンジン始動制御装置３２および表示装置３３が接続されている。
【００２１】
表示装置３１は、エンジン始動が可能な状態にあること、またはエンジン始動が不可能な状態にあることを表示する装置であり、例えばナビゲーション装置のディスプレイがこれに該当する。
【００２２】
エンジン始動制御装置３２は、イグニッションスイッチのオン操作に伴ってエンジンを始動制御するための装置であり、例えばイグニッションスイッチを含むスタータモータの駆動制御装置や、スロットルバルブの開閉制御装置などがこれに該当する。なお、これらの装置に加えてまたは代えて、シフトレバーのポジション切換装置を含む構成としてもよい。
【００２３】
また、ＩＣカード１０は、飲酒店側カード処理装置４０のカードＩ／Ｆ部（カードスロット）４１に挿入されるようになっている。飲酒店側カード処理装置４０は、図３に示すように、ＣＰＵおよびインターフェース部（Ｉ／Ｆ部）を含むマイクロプロセッサ４２を主要構成部品として備えるとともに、カードＩ／Ｆ部４１に加えて、各種情報記憶部４３を備えている。各種情報記憶部４３には、図４の飲酒状態書込み処理プログラムが格納されていて、マイクロプロセッサ４２は、ＩＣカード１０のカードＩ／Ｆ部４１への挿入により図４の飲酒状態書込み処理プログラムを実行するようになっている。マイクロプロセッサ４２には、表示装置５１が接続されていて、この飲酒状態書込み処理プログラムの実行時には、表示装置５１の操作部５１ａから所定の書込み操作が可能な設定とされている。
【００２４】
次に、上記のように構成した第１実施形態の飲酒運転防止システムについて説明する。運転者は、飲食店での飲食後、店員にＩＣカード１０を提示する。店員は、図４に示すように、運転者のＩＣカード１０を飲酒店側カード処理装置４０に挿入する（ステップＳ１１）。店員は運転者の飲酒状態をチェックし（ステップＳ１２）、運転者が飲酒状態にない場合には、日付、および飲酒無しを表す情報をＩＣカード１０の飲酒状態情報記憶部１２ｆに書き込む（ステップＳ１３）。一方、運転者が飲酒状態にある場合には、日付、および飲酒有りを表す情報をＩＣカード１０の飲酒状態情報記憶部１２ｆに書き込む（ステップＳ１４）。なお、これらの書込み処理は、ＩＣカード１０のクレジット機能を利用したクレジット支払い時にて同時に処理するようにしてもよい。
【００２５】
運転者は、車両の始動時にて図５に示すように、ＩＣカード１０を車両用カード処理装置２０に挿入する必要があり（ステップＳ２１）、ＩＣカード１０を車両用カード処理装置２０に挿入しなければ、エンジンを始動させることができない（ステップＳ２２）。ＩＣカード１０が車両用カード処理装置２０に挿入されると、マイクロプロセッサ２２により運転免許証情報が読み取られ、運転者本人であることの照合が行われる（ステップＳ２３）。なお、必要に応じて暗証番号を入力させて運転者本人であることを確認するようにしてもよい。何れにしても、車両を始動させるためには各情報がそれぞれ規定の情報を満たしている必要がある。
【００２６】
運転者本人であることが確認されると、飲酒状態情報記憶部１２ｆに飲酒有り情報が書き込まれているか否かが判定される（ステップＳ２４）。飲酒有り情報が書き込まれていない場合には、イグニッションスイッチのオン操作に伴って、エンジンを始動させることができる（ステップＳ２５）。飲酒有り情報が書き込まれている場合には、イグニッションスイッチをオン操作しても、エンジンを始動させることができない（ステップＳ２６）。
【００２７】
この第１実施形態の飲酒運転防止システムによれば、車両用カード処理装置２０によるエンジン始動制御装置３２の始動禁止制御によって、運転者が飲酒状態にあるときは車両のエンジンが始動しなくなるので、飲酒した運転者による車両の運転を確実に防止することができる。
【００２８】
また、この第１実施形態では、ＩＣカード１０を利用してエンジンを始動させるようにしているので、エンジンを始動させるために通常使用されているイグニッションキーが不要となり、またスマートキーに代えるものとすることができる。
【００２９】
（変形実施形態）
上記第１実施形態では、ＩＣカード１０の飲酒状態情報記憶部１２ｆに記憶された飲酒状態情報に基づいて、車両用カード処理装置２０によりエンジン始動制御装置３２の始動が禁止されるように構成したが、これに加えてまたは代えて、例えば図２および図３にて破線で示すように、車両用カード処理装置２０と飲酒店側カード処理装置４０とを情報管理センター１００の管理サーバ１０１にネットワークを通じて接続し、飲酒店側カード処理装置４０から管理サーバ１０１に送信されたＩＣカード１０の飲酒状態情報を、車両用カード処理装置２０が受信して、この飲酒状態情報に基づいてエンジン始動制御装置３２の始動を禁止するように構成することも可能である。
【００３０】
ｂ．第２実施形態
次に、本発明の第２実施形態について説明する。この第２実施形態の飲酒運転防止システムでは、上記第１実施形態のシステムに加えて、酒類販売店に設置された販売店側カード処理装置６０を備えている。販売店側カード処理装置６０は、図６に示すように、ＣＰＵおよびインターフェース部（Ｉ／Ｆ部）を含むマイクロプロセッサ６２を主要構成部品として備えるとともに、カードＩ／Ｆ部（カードスロット）６１に加えて、各種情報記憶部６３を備えている。各種情報記憶部６３には、図７の酒類購入書込み処理プログラムが格納されていて、マイクロプロセッサ６２は、ＩＣカード１０のカードＩ／Ｆ部６１への挿入により図７の酒類購入書込み処理プログラムを実行するようになっている。マイクロプロセッサ６２には、表示装置７１が接続されていて、この酒類購入書込み処理プログラムの実行時には、表示装置７１の操作部７１ａから所定の書込み操作が可能な設定とされている。すなわち、この第２実施形態の飲酒運転防止システムにおいては、飲酒状態情報記憶部１２ｆに記憶される飲酒状態情報として、飲酒有り情報に加えて、運転者が酒類を購入したことを特定する酒類購入有りを表す情報が含まれている。また、酒類販売店での酒類等の購入後にはＩＣカード１０を酒類販売店に提示して販売店側が販売店側カード処理装置６０により所定の書き込み処理を行うことが同システムを成り立たせる前提となっている。
【００３１】
次に、上記のように構成した第２実施形態の飲酒運転防止システムについて説明する。運転者は、酒類販売店での酒類等の購入後、店員にＩＣカード１０を提示する。店員は、図７に示すように、運転者のＩＣカード１０を販売店側カード処理装置６０に挿入する（ステップＳ３１）。店員は運転者が酒類を購入したかをチェックし（ステップＳ３２）、運転者が酒類を購入していない場合には、日付、および酒類購入無しを表す情報をＩＣカード１０の飲酒状態情報記憶部１２ｆに書き込む（ステップＳ３３）。一方、運転者が酒類を購入した場合には、日付、および酒類購入有りを表す情報をＩＣカード１０の飲酒状態情報記憶部１２ｆに書き込む（ステップＳ３４）。
【００３２】
この第２実施形態の飲酒運転防止システムによれば、ＩＣカード１０の飲酒状態情報記憶部１２ｆに書き込まれた酒類購入有りを表す情報を履歴として参照することで、運転者による飲酒運転を抑止する対応策を予め講じることが可能である。具体的には、例えば運輸会社等が、ドライバーのＩＣカード１０の飲酒状態情報記憶部１２ｆを業務的にチェックすることで、勤務時間内でのドライバーの飲酒運転を未然に防止することができる。
【００３３】
ｃ．第３実施形態
次に、本発明の第３実施形態について説明する。この第３実施形態の飲酒運転防止システムでは、上記第２実施形態の販売店側カード処理装置６０に加えてまたは代えて、駐車場に設置された駐車場側カード処理装置８０を備えている。この第３実施形態の飲酒運転防止システムでは、駐車場での駐車時およびその駐車場からの退出時にＩＣカード１０を駐車場側カード処理装置８０に挿入することが同システムを成り立たせる前提となっている。
【００３４】
駐車場側カード処理装置８０は、図８に示すように、ＣＰＵおよびインターフェース部（Ｉ／Ｆ部）を含むマイクロプロセッサ８２を主要構成部品として備えるとともに、カードＩ／Ｆ部（カードスロット）８１に加えて、各種情報記憶部８３を備えている。各種情報記憶部８３には、図９の駐車許可プログラムおよび図１０の退出許可プログラムが格納されていて、マイクロプロセッサ８２は、ＩＣカード１０のカードＩ／Ｆ部８１への挿入により図９または図１０のプログラムを実行するようになっている。また、マイクロプロセッサ８２には、車両を検出する車両検出部９１が接続されるとともに、車輪止め制御装置９２、および操作部９３ａを有する表示装置９３が接続されている。
【００３５】
車輪止め制御装置９２（駐車制御装置）は、車輪止め（ストッパー）を昇降制御するための装置である。なお、この装置に加えてまたは代えて駐車場内への進入・退出を許可するゲート開閉装置を含む構成としてもよい。表示装置９３は、ＩＣカード１０がカードＩ／Ｆ部８１に挿入されていないこと、また車輪止めの解除が不可能な状態にあることを所定の文字で表示して運転者に警告を与える。
【００３６】
次に、上記のように構成した第３実施形態の飲酒運転防止システムについて説明する。車両の駐車時には、図９に示すように、車両検出部９１により車両が検出される（ステップＳ４１）。運転者は、ＩＣカード１０を駐車場側カード処理装置８０のカードＩ／Ｆ部８１に挿入する必要があり（ステップＳ４２）、ＩＣカード１０をカードＩ／Ｆ部８１に挿入しなければ、表示装置９３により警告を受ける（ステップＳ４３）。ＩＣカード１０がカードＩ／Ｆ部８１に挿入されると、マイクロプロセッサ８２により免許証情報が読み取られ（ステップＳ４４）、各種情報記憶部８３に記憶される（ステップＳ４５）。その後、車輪止め制御装置９２により車輪止めが上向きに起動されて車両の駐車が完了する（ステップＳ４６，Ｓ４７）。
【００３７】
車両を駐車場から退出させる場合には、図１０に示すように、ＩＣカード１０を駐車場側カード処理装置８０のカードＩ／Ｆ部８１に挿入する必要があり（ステップＳ５１）、ＩＣカード１０をカードＩ／Ｆ部８１に挿入しなければ、例えば表示装置９３にＩＣカード１０の挿入を求める文字が表示される（ステップＳ５２）。ＩＣカード１０がカードＩ／Ｆ部８１に挿入されると、マイクロコンピュータ８２により免許証情報が読み取られ（ステップＳ５３）、各種情報記憶部８３に記憶されている免許証情報と照合される（ステップＳ５４）。照合の完了後、ＩＣカード１０の飲酒状態情報記憶部１２ｆに飲酒有り情報が書き込まれているか否かが判定される（ステップＳ５５）。飲酒有り情報が書き込まれていない場合には、車輪止めが下向きに起動されて固定状態から解除される（ステップＳ５６）。飲酒有り情報が書き込まれている場合には、車輪止めが下向きに起動されず車輪止めを解除することができない（ステップＳ５７）。
【００３８】
この第３実施形態の飲酒運転防止システムによれば、駐車場側カード処理装置８０による車輪止め制御装置９２の退出禁止制御によって、運転者が飲酒状態にあるときは車両を駐車場外へ退出させることができなくなるので、車両用カード処理装置２０によるエンジン始動禁止制御と相俟って、飲酒した運転者による車両の運転をより一層確実に防止することができる。
【００３９】
（変形実施形態）
上記第３実施形態では、ＩＣカード１０の飲酒状態情報記憶部１２ｆに記憶された飲酒状態情報に基づいて、駐車場側カード処理装置８０により車輪止め制御装置９２の解除が禁止されるように構成したが、これに加えてまたは代えて、例えば図３および図８にて破線で示すように、飲酒店側カード処理装置４０と駐車場側カード処理装置８０とを情報管理センター１００の管理サーバ１０１にネットワークを通じて接続し、飲酒店側カード処理装置４０から管理サーバ１０１に送信されたＩＣカード１０の飲酒状態情報を、駐車場側カード処理装置８０が受信して、この飲酒状態情報に基づいて車輪止め制御装置９２の解除を禁止するように構成することも可能である。
【図面の簡単な説明】
【００４０】
【図１】本発明の第１〜第３実施形態に係るＩＣカードの主要構成部分を概略的に示す機能ブロック図。
【図２】本発明の第１〜第３実施形態に係り、車両用カード処理装置の全体を概略的に示す機能ブロック図。
【図３】本発明の第１〜第３実施形態に係り、飲酒店側カード処理装置の全体を概略的に示す機能ブロック図。
【図４】本発明の第１実施形態に係り、図３のマイクロプロセッサによって実行される飲酒状態書込み処理プログラムを示すフローチャート。
【図５】本発明の第１実施形態に係り、図２のマイクロプロセッサによって実行されるエンジン始動制御プログラムを示すフローチャート。
【図６】本発明の第２実施形態に係り、販売店側カード処理装置の全体を概略的に示す機能ブロック図。
【図７】本発明の第２実施形態に係り、図６のマイクロプロセッサによって実行される酒類購入書込み処理プログラムを示すフローチャート。
【図８】本発明の第３実施形態に係り、駐車場側カード処理装置の全体を概略的に示す機能ブロック図。
【図９】本発明の第３実施形態に係り、図８のマイクロプロセッサによって実行される駐車許可プログラムを示すフローチャート。
【図１０】本発明の第３実施形態に係り、図８のマイクロプロセッサによって実行される退出許可プログラムを示すフローチャート。
【符号の説明】
【００４１】
１０  ＩＣカード
１１  インターフェース部（Ｉ／Ｆ部）
１２  記憶部
１２ａ  ＩＤ
１２ｂ  免許証情報記憶部
１２ｆ  飲酒状態情報記憶部
１３  接点
２０  車両用カード処理装置
２１，４１，６１，８１  カードＩ／Ｆ部
２２，４２，６２，８２  マイクロプロセッサ
２３  各種情報登録部
２４，４３，６３，８３  各種情報記憶部
３２  エンジン始動制御装置
３１，５１，７１，９３  表示装置
４０  飲酒店側カード処理装置
６０  販売店側カード処理装置
８０  駐車場側カード処理装置
９２  車輪止め制御装置（駐車制御装置）
１００  情報管理センター
１０１  管理サーバ
【図１】
2008203915.tif 000003
【図２】
2008203915.tif 000004
【図３】
2008203915.tif 000005
【図４】
2008203915.tif 000006
【図５】
2008203915.tif 000007
【図６】
2008203915.tif 000008
【図７】
2008203915.tif 000009
【図８】
2008203915.tif 000010
【図９】
2008203915.tif 000011
【図１０】
2008203915.tif 000012